(57)【要約】  外周部にフレーム１を有する膜電極接合体２と、フレーム１及び膜電極接合体２の両面側に配置されるセパレータ３を備え、フレーム１及びセパレータ３の相対向部分に、突条部３Ｒと、突条部３Ｒの頂部が入り込む溝部１Ｇを相対的に形成すると共に、溝部１Ｇに注入した接着剤１０に突条部３Ｒの頂部を没入状態にして溝部１Ｇと突条部３Ｒを接着した燃料電池ＦＣとしたことにより、フレーム１とセパレータ３との間のシール性を大幅に高めた。
2013141079.tif 000002
【特許請求の範囲】
【請求項１】
外周部にフレームを有する膜電極接合体と、
フレーム及び膜電極接合体の両面側に配置されるセパレータを備え、
フレーム及びセパレータの相対向部分に、突条部と、突条部の頂部が入り込む溝部を相対的に形成すると共に、溝部に注入した接着剤に突条部の頂部を没入状態にして溝部と突条部を接着したことを特徴とする燃料電池。
【請求項２】
フレームとセパレータとの間において、突条部の少なくとも膜電極接合体側に、接着剤により気密的に仕切られた空間を形成したことを特徴とする請求項１に記載の燃料電池。
【請求項３】
フレームに溝部を形成すると共に、セパレータに突条部を形成したことを特徴とする請求項１又は２に記載の燃料電池。
【請求項４】
フレームに突条部を形成すると共に、セパレータに溝部を形成したことを特徴とする請求項１又は２に記載の燃料電池。
【請求項５】
請求項１〜４のいずれか１項に記載の燃料電池を複数枚積層して成ることを特徴とする燃料電池スタック。
【発明の詳細な説明】
【技術分野】
【０００１】
本発明は、固体高分子型燃料電池（ＰＥＦＣ）などの燃料電池の改良に関する。
【背景技術】
【０００２】
この種の燃料電池としては、例えば、特許文献１に記載されているものがある。特許文献１に記載の燃料電池は、外周部に絶縁部材を一体化した膜電極接合体と、膜電極接合体との間にガス流路を形成するセパレータを備えている。この燃料電池は、絶縁部材及びセパレータの互いの平坦部同士を接着部材で接合した構造になっている。
【先行技術文献】
【特許文献】
【０００３】
【特許文献１】日本国特開２０１０−１２３３７７号公報
【発明の概要】
【発明が解決しようとする課題】
【０００４】
しかしながら、上記したような従来の燃料電池にあっては、絶縁部材とセパレータとの間において、一定のシール性を確保することはできるものの、双方の平坦部同士で接合した構造であるため、必ずしもシール性が充分ではないという問題点があり、このような問題点を解決することが課題であった。【０００５】
本発明は、上記従来の課題に着目して成されたもので、外周部にフレームを有する膜電極接合体及びセパレータを備えた燃料電池において、フレームとセパレータとの間のシール性を高めることができる燃料電池を提供することを目的としている。
【課題を解決するための手段】
【０００６】
本発明に係る燃料電池は、外周部にフレームを有する膜電極接合体と、フレーム及び膜電極接合体の両面側に配置されるセパレータを備えている。そして、燃料電池は、フレーム及びセパレータの相対向部分に、突条部と、突条部の頂部が入り込む溝部を相対的に形成すると共に、溝部に注入した接着剤に突条部の頂部を没入状態にして溝部と突条部を接着した構成としており、上記構成をもって従来の課題を解決するための手段としている。
【発明の効果】
【０００７】
本発明によれば、外周部にフレームを有する膜電極接合体及びセパレータを備えた燃料電池において、フレームとセパレータとの間のシール性を大幅に高めることができる。
【図面の簡単な説明】
【０００８】
【図１】本発明に係る燃料電池の一実施形態を説明する断面図である。
【図２】図１に示す燃料電池の分解状態の平面図である。
【図３】図１に示す燃料電池を積層して成る燃料電池スタックを説明する分解斜視図（Ａ）及び組立後の斜視図（Ｂ）である。
【図４】本発明に係る燃料電池の他の実施形態を説明する断面図である。
【発明を実施するための形態】
【０００９】
図１〜図３は、本発明に係る燃料電池及び燃料電池スタックの一実施形態を説明する図である。図１及び図２に示す燃料電池ＦＣは、外周部にフレーム１を有する膜電極接合体２と、フレーム１及び膜電極接合体２の両面側に配置されるセパレータ３，３を備えている。なお、図１は、図２中のＡ−Ａ線に基づく断面図である。
【００１０】
膜電極接合体２は、一般に、ＭＥＡ（Membrane  Electrode Assembly)と呼ばれるものであって、例えば固体高分子から成る電解質層をカソード層（空気極層）とアノード層（燃料極層）とで挟持した構造を有している。カソード層及びアノード層は、図示を省略したが、触媒層や適数のガス拡散層を積層した構造である。
【００１１】
フレーム１は、樹脂製であって、射出成形等によって膜電極接合体２の外周部に一体成形してあり、図示例では膜電極接合体２を中央にして矩形状を成している。フレーム１は、両端部に、各々三個ずつのマニホールド穴（図示せず）が配列してあり、各マニホールド穴群から膜電極接合体２に至る領域が反応用ガスの流通領域となる。
【００１２】
各セパレータ３は、より好適な実施形態としてステンレス製であって、フレーム１及び膜電極接合体２に対応した矩形状を成している。各セパレータ３は、膜電極接合体２に対応する中央部分が、短辺方向の断面において波形状に形成してある。この波形状は図示の如く長辺方向に連続している。
【００１３】
これにより、各セパレータ３は、膜電極接合体２に対応する中央部分では、波形の凸部分が膜電極接合体２に接触すると共に、波形の凹部分でカソードガス（空気）及びアノードガス（水素ガス）のガス流路をそれぞれ形成する。また、各セパレータ３は、図２に示すように、両端部に、フレーム１の各マニホールド穴と連通するマニホールド穴Ｈ１〜Ｈ６を有している。
【００１４】
図２の左側に示す一方側のマニホールド穴Ｈ１〜Ｈ３は、カソードガス供給用（Ｈ１）、冷却液供給用（Ｈ２）及びアノードガス排出用（Ｈ３）であり、積層方向に互いに連通して夫々の流路を形成する。また、図２の右側に示す他方側のマニホールド穴Ｈ４〜Ｈ６は、アノードガス供給用（Ｈ４）、冷却液排出用（Ｈ５）及びカソードガス排出用（Ｈ６）であり、積層方向に互いに連通して夫々の流路を形成する。なお、これらの供給及び排出の位置関係は適宜選択することができる。
【００１５】
さらに、燃料電池ＦＣは、フレーム１と各セパレータ３の縁部同士の間や、マニホールド穴Ｈ１〜Ｈ６の周囲に、ガスシールが設けてある。また、燃料電池ＦＣを複数枚を積層した状態では、燃料電池ＦＣ同士すなわち隣接するセパレータ３同士の間にもガスシールを設ける。この実施形態では、隣接するセパレータ３間に冷却液を流通させる構造である。
【００１６】
上記のガスシールは、個々の層間において、カソードガス、アノードガス及び冷却液の夫々の流通域を気密的に分離すると共に、その層間に所定の流体が流れるように、マニホールド穴Ｈ１〜Ｈ６の周縁部の適当な箇所に開口を設ける。
【００１７】
上記構成を備えた燃料電池ＦＣは、複数枚を積層して、図３に示すような燃料電池スタックＦＳを構成する。燃料電池スタックＦＳは、図３（Ａ）に示すように、燃料電池ＦＣの積層体Ｓに対し、その積層方向の一端部（図３中で右側端部）に、集電板４Ａ及びスペーサ５を介してエンドプレート６Ａが設けてある。また、積層方向の他端部にも、集電板４Ｂを介してエンドプレート６Ｂが設けてある。さらに、燃料電池スタックＦＳは、積層体Ｓに対し、燃料電池ＦＣの長辺側となる両面（図３中で上下面）に、締結板７Ａ，７Ｂが設けてあると共に、短辺側となる両面に、補強板８Ａ，８Ｂが設けてある。
【００１８】
そして、燃料電池スタックＦＳは、各締結板７Ａ，７Ｂ及び補強板８Ａ，８ＢをボルトＢにより両エンドプレート６Ａ，６Ｂに連結する。このようにして、燃料電池スタックＦＳは、図３（Ｂ）に示すようなケース一体型構造となり、積層体Ｓをその積層方向に拘束・加圧して個々の燃料電池ＦＣに所定の接触面圧を加え、ガスシール性や導電性等を良好に維持する。
【００１９】
ここで、本発明の燃料電池ＦＣは、先述の如くフレーム１を有する膜電極接合体２と、セパレータ３，３を備え、フレーム１及びセパレータ３の相対向部分に、突条部と、突条部の頂部が入り込む溝部を相対的に形成すると共に、溝部に接着剤を注入して溝部と突条部を接着した構成になっている。このシール構成は、先述したフレーム１と各セパレータ３の縁部同士の間に設けたガスシールに沿って設ける。
【００２０】
この実施形態における燃料電池ＦＣでは、図１に示すように、フレーム１及びセパレータ３の相対向部分において、フレーム１に溝部１Ｇを形成すると共に、セパレータ３に突条部３Ｒを形成している。また、図示例では、セパレータ３に内向き（図１では下向き）の凹部３Ａを形成し、この凹部３Ａの底部中央に突条部３Ｒが形成してある。フレーム１の溝部１Ｇとセパレータ３の凹部３Ａは、ほぼ等しい幅寸法である。
【００２１】
フレーム１の溝部１Ｇは、当該フレーム１を射出成形する際に、同時に設けることができる。また、セパレータ３の突条部３Ｒや凹部３Ａは、当該セパレータ３をプレス加工等で成形する際に、同時に設けることができる。
【００２２】
そして、燃料電池ＦＣは、フレーム１の溝部１Ｇに接着剤１０を注入すると共に、セパレータ３の突条部３Ｒの頂部を接着剤１０に没入させた状態にして、溝部１Ｇと突条部３Ｒを接着し、フレーム１とセパレータ３とを接合している。このとき、燃料電池ＦＣは、フレーム１とセパレータ３との間において、突条部３Ｒ少なくとも膜電極接合体２側に、接着剤１０により気密的に仕切られた空間１１が形成される。図示例では、突条部３Ｒの両側に空間１１，１１が形成されている。
【００２３】
上記の構成を備えた燃料電池ＦＣ及び燃料電池スタックＦＳは、溝部１Ｇに注入した接着剤１０に突条部３Ａの頂部を没入状態にして溝部１Ｇと突条部３Ｒを接着しているので、双方を平坦部同士で接着するシール構造に比べて、双方の界面が複雑なものとなる。これにより、燃料電池ＦＣは、フレーム１とセパレータ３との間のシール性を大幅に高めることができる。
【００２４】
また、上記の燃料電池ＦＣでは、フレーム１とセパレータ３との間において、突条部３Ｒの膜電極接合体２側に、接着剤１０により気密的に仕切られた空間１１を形成したので、シール性がより一層高められる。つまり、燃料電池ＦＣは、図１中に矢印で示す発電領域（膜電極接合体２の領域）から、フレーム１とセパレータ３との間に反応用ガスが侵入すると、その反応用ガスは内側の空間１１に流入する。これにより、ガス圧が接着剤１０の表面に作用することとなり、そのガス圧により接着剤１０が加圧される、いわゆるセルフシール機能が働き、接着剤１０から外側への反応用ガスの漏出を完全に阻止する。
【００２５】
さらに、上記の燃料電池ＦＣでは、溝部１Ｇに接着剤１０を設ければ良いので、接着剤１０の注入作業が非常に容易なものとなり、また、接着剤１０が他の部分に流出するような心配がないので、粘性の低い接着剤１０を使用することもできる。これにより、生産性の向上や低コスト化などを図ることも可能になる。
【００２６】
図４に示す燃料電池ＦＣは、フレーム１に突条部１Ｒを形成すると共に、セパレータ３に溝部３Ｇを形成し、溝部３Ｇに注入した接着剤１０に突条部１Ｒの頂部を没入状態にして溝部３Ｇと突条部１Ｒを接着した構成である。また、突条部１Ｒの両側には、接着剤１０により気密的に仕切られた空間１１が形成されている。
【００２７】
上記の燃料電池ＦＣにあっても、先の実施形態と同様に、双方を平坦部同士で接着する構造に対して、双方の界面が複雑なものとなり、フレーム１とセパレータ３との間のシール性を大幅に高めることができる。
【００２８】
なお、本発明に係る燃料電池は、その構成が上記各実施形態のみに限定されるものではなく、本発明の要旨を逸脱しない範囲で各構成の細部を適宜変更することが可能である。また、図１及び図４に示す各実施形態では、フレームと一方のセパレータとに突条部及び溝部を相対的に設けた構成を例示したが、当然のことながら、フレームと他方のセパレータとの間にも同等の構成を設けることができる。
【符号の説明】
【００２９】
ＦＣ  燃料電池
ＦＳ  燃料電池スタック
１    フレーム
１Ｇ  溝部
１Ｒ  突条部
２    膜電極接合体
３    セパレータ
３Ｒ  突条部
３Ｇ  溝部
１０  接着剤
１１  空間
【図１】
2013141079.tif 000003
【図２】
2013141079.tif 000004
【図３】
2013141079.tif 000005
【図４】
2013141079.tif 000006
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
外周部にフレームを有する膜電極接合体と、
フレーム及び膜電極接合体の両面側に配置されるセパレータを備え、
フレーム及びセパレータの相対向部分に、突条部と、突条部の頂部が入り込む溝部を相対的に形成すると共に、溝部に注入した接着剤に突条部の頂部を没入状態にして溝部と突条部を接着し、
フレームとセパレータとの間において、突条部の少なくとも膜電極接合体側に、溝部に注入した接着剤により突条部と溝部との間が気密的に仕切られた空間を形成したことを特徴とする燃料電池。
【請求項２】
（削除）
【請求項３】
フレームに溝部を形成すると共に、セパレータに突条部を形成したことを特徴とする請求項１に記載の燃料電池。
【請求項４】
フレームに突条部を形成すると共に、セパレータに溝部を形成したことを特徴とする請求項１に記載の燃料電池。
【請求項５】
請求項１、３、４のいずれか１項に記載の燃料電池を複数枚積層して成ることを特徴とする燃料電池スタック。
【手続補正２】
【補正対象書類名】明細書
【補正対象項目名】０００２
【補正方法】変更
【補正の内容】
【０００２】
レーム及び膜電極接合体の両面側に配置されるセパレータを備えている。そして、燃料電池は、フレーム及びセパレータの相対向部分に、突条部と、突条部の頂部が入り込む溝部を相対的に形成すると共に、溝部に注入した接着剤に突条部の頂部を没入状態にして溝部と突条部を接着し、フレームとセパレータとの間において、突条部の少なくとも膜電極接合体側に、溝部に注入した接着剤により突条部と溝部との間が気密的に仕切られた空間を形成した構成としており、上記構成をもって従来の課題を解決するための手段としている。
発明の効果
［０００７］
本発明によれば、外周部にフレームを有する膜電極接合体及びセパレータを備えた燃料電池において、フレームとセパレータとの間のシール性を大幅に高めることができる。
図面の簡単な説明
［０００８］
［図１］本発明に係る燃料電池の一実施形態を説明する断面図である。
［図２］図１に示す燃料電池の分解状態の平面図である。
［図３］図１に示す燃料電池を積層して成る燃料電池スタックを説明する分解斜視図（Ａ）及び組立後の斜視図（Ｂ）である。
［図４］本発明に係る燃料電池の他の実施形態を説明する断面図である。
発明を実施するための形態
［０００９］
図１〜図３は、本発明に係る燃料電池及び燃料電池スタックの一実施形態を説明する図である。図１及び図２に示す燃料電池ＦＣは、外周部にフレーム１を有する膜電極接合体２と、フレーム１及び膜電極接合体２の両面側に配置されるセパレータ３，３を備えている。なお、図１は、図２中のＡ−Ａ線に基づく断面図である。
［００１０］
膜電極接合体２は、一般に、ＭＥＡ（Ｍｅｍｂｒａｎｅ  Ｅｌｅｃｔｒｏｄｅ  Ａｓｓｅｍｂｌｙ）と呼ばれるものであって、例えば固体高分子から成る電解質層をカソード層（空気極層）とアノード層（燃料極層）とで挟持した構造を有している。カソード層及びアノード層は、図示を省略したが、触媒層や適数のガス拡散層を積層した構造である。
［００１１］
フレーム１は、樹脂製であって、射出成形等によって膜電極接合体２の外周部に一体成形してあり、図示例では膜電極接合体２を中央にして矩形状を
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
外周部にフレームを有する膜電極接合体と、
フレーム及び膜電極接合体の両面側に配置されるセパレータを備え、
フレーム及びセパレータの相対向部分に、突条部と、突条部の頂部が入り込む溝部を相対的に形成すると共に、溝部に注入した接着剤に突条部の頂部を没入状態にして溝部と突条部を接着し、
前記溝部の位置であり且つフレームとセパレータとの間において、突条部の少なくとも膜電極接合体側に、空間を形成したことを特徴とする燃料電池。
【請求項２】
（削除）
【請求項３】
フレームに溝部を形成すると共に、セパレータに突条部を形成したことを特徴とする請求項１に記載の燃料電池。
【請求項４】
フレームに突条部を形成すると共に、セパレータに溝部を形成したことを特徴とする請求項１に記載の燃料電池。
【請求項５】
請求項１、３、４のいずれか１項に記載の燃料電池を複数枚積層して成ることを特徴とする燃料電池スタック。
【手続補正２】
【補正対象書類名】明細書
【補正対象項目名】０００２
【補正方法】変更
【補正の内容】
【０００２】
レーム及び膜電極接合体の両面側に配置されるセパレータを備えている。そして、燃料電池は、フレーム及びセパレータの相対向部分に、突条部と、突条部の頂部が入り込む溝部を相対的に形成すると共に、溝部に注入した接着剤に突条部の頂部を没入状態にして溝部と突条部を接着し、前記溝部の位置であり且つフレームとセパレータとの間において、突条部の少なくとも膜電極接合体側に、空間を形成した構成としており、上記構成をもって従来の課題を解決するための手段としている。
発明の効果
［０００７］
本発明によれば、外周部にフレームを有する膜電極接合体及びセパレータを備えた燃料電池において、フレームとセパレータとの間のシール性を大幅に高めることができる。
図面の簡単な説明
［０００８］
［図１］本発明に係る燃料電池の一実施形態を説明する断面図である。
［図２］図１に示す燃料電池の分解状態の平面図である。
［図３］図１に示す燃料電池を積層して成る燃料電池スタックを説明する分解斜視図（Ａ）及び組立後の斜視図（Ｂ）である。
［図４］本発明に係る燃料電池の他の実施形態を説明する断面図である。
発明を実施するための形態
［０００９］
図１〜図３は、本発明に係る燃料電池及び燃料電池スタックの一実施形態を説明する図である。図１及び図２に示す燃料電池ＦＣは、外周部にフレーム１を有する膜電極接合体２と、フレーム１及び膜電極接合体２の両面側に配置されるセパレータ３，３を備えている。なお、図１は、図２中のＡ−Ａ線に基づく断面図である。
［００１０］
膜電極接合体２は、一般に、ＭＥＡ（Ｍｅｍｂｒａｎｅ  Ｅｌｅｃｔｒｏｄｅ  Ａｓｓｅｍｂｌｙ）と呼ばれるものであって、例えば固体高分子から成る電解質層をカソード層（空気極層）とアノード層（燃料極層）とで挟持した構造を有している。カソード層及びアノード層は、図示を省略したが、触媒層や適数のガス拡散層を積
【国際調査報告】
2013141079.tif 000007
2013141079.tif 000008
2013141079.tif 000009
2013141079.tif 000010
2013141079.tif 000011
2013141079.tif 000012
2013141079.tif 000013